(57)【要約】無線子局の無線親局への収容効率を高め、トラフィックを抑制しつつ無線リソースを効率的に利用する。複数の無線子局２−１、２−２、２−３、…が、無線親局１−１、１−２と直接または他の無線子局を経由して無線通信を行い、無線親局からは有線等で収集制御装置３まで通信を行う通信システムにおいて、収集制御装置３は、第１乃至第４の閾値ａ、ｂ、ｃ、ｄを記憶しており、無線子局の収容台数に応じて接続抑止通知、高頻度の特定通信停止通知、収容拒否通知と段階を経た機能抑制を行うことで、トラフィックを抑制しつつ、効率的に利用する。
2013133191.tif 000002
【特許請求の範囲】
【請求項１】
複数の無線子局が、無線親局と直接または他の無線子局を経由して無線通信を行い、無線親局を介して収集制御装置と通信を行う通信システムにおいて、
前記収集制御装置は、各無線親局に収容している無線子局の収容台数を管理する第１の記憶手段と、無線親局に収容する無線子局の収容台数を決定する第１乃至第４の閾値を記憶した第２の記憶手段とを備え、
無線子局から特定の無線親局配下への接続要求を受信したときに、当該無線親局配下の無線子局接続数が第１の閾値以上に達した場合、当該無線親局を経由して周囲の無線子局に接続抑止通知を広告し、前記第１の閾値よりも高い第２の閾値以上第３の閾値未満に達した場合、当該無線子局に対して高頻度の特定通信停止通知を送信し、前記第２の閾値よりも高い第３の閾値以上に達した場合、当該無線子局に対して収容拒否通知を送信し、前記接続抑止通知の広告後に前記第１の閾値と等しいか、または前記第１の閾値よりも低い第４の閾値を下回った場合、当該無線親局を経由して周囲の無線子局に接続抑止解除通知を広告するように構成されていることを特徴とする通信システム。
【請求項２】
前記収集制御装置から送信される前記接続抑止通知を受信した接続先が未定の無線子局は、他の無線親局を選択できない場合は前記特定の無線親局へ接続要求を送信し、他の無線親局を選択できる場合は他の無線親局へ接続要求を送信し、
前記高頻度の特定通信停止通知を受信した当該無線子局は、高頻度の特定通信を停止し、低頻度の特定通信及び前記収集制御装置からの下り通信への応答は継続して行い、
前記収容拒否通知を受信した当該無線子局は、低頻度の特定通信を停止し、前記収集制御装置からの下り通信への応答は継続して行い、
前記接続抑止解除通知を受信した無線子局は、当該無線親局への接続要求の送信制約を解除する請求項１に記載の通信システム。
【請求項３】
前記第１、第２の記憶手段はそれぞれ書き換え可能である請求項１に記載の通信システム。
【請求項４】
前記複数の無線子局はそれぞれ、収容される無線親局の識別情報を記憶する第３の記憶手段を備え、無線親局から定期的に送信される経路構築情報、および収容されている無線親局を介して前記収集制御装置から供給される無線親局ステータス情報に基づいて、当該無線親局の識別情報が書き込まれる請求項１または２に記載の通信システム。
【請求項５】
複数の無線子局が、無線親局と直接または他の無線子局を経由して無線通信を行い、無線親局を介して収集制御装置と通信を行う通信システムの輻輳回避方法において、
無線子局から特定の無線親局配下への接続要求を受信したときに、当該無線親局配下の無線子局接続数が第１の閾値以上に達した場合、前記収集制御装置から当該無線親局を経由して、周囲の無線子局に接続抑止通知を広告するステップと、
前記接続抑止通知を受信した接続先が未定の無線子局は、他の無線親局を選択できない場合は前記無線親局へ接続要求を送信し、他の無線親局を選択できる場合は他の無線親局へ接続要求を送信するステップと、
無線子局から特定の無線親局配下への接続要求を受信したときに、当該無線親局配下への無線子局接続数が前記第１の閾値よりも高い第２の閾値以上第３の閾値未満に達した場合、前記収集制御装置から当該無線子局に対して、高頻度の特定通信停止通知を送信するステップと、
前記高頻度の特定通信停止通知を受信した当該無線子局における高頻度の特定通信を停止し、低頻度の特定通信及び前記収集制御装置からの下り通信への応答は継続して行うステップと、
無線子局からの特定の無線親局配下への接続要求を受信したときに、当該無線親局配下の無線子局接続数が前記第２の閾値よりも高い第３の閾値以上に達した場合、前記収集制御装置から当該無線子局に対して、収容拒否通知を送信するステップと、
前記収容拒否通知を受信した無線子局における低頻度の特定通信を停止させ、前記収集制御装置からの下り通信への応答は継続して行うステップと、
特定の無線親局配下への無線子局収容数が前記接続抑止通知の広告後に前記第１の閾値と等しいか、または前記第１の閾値よりも低い第４の閾値を下回った場合、前記収集制御装置から当該無線親局を経由して、周囲の無線子局に接続抑止解除通知を広告するステップと、
前記接続抑止解除通知を受信した無線子局から当該無線親局への接続要求の送信制約を解除するステップとを具備することを特徴とする通信システムの輻輳回避方法。
【請求項６】
複数の測定装置と、これらの測定装置にそれぞれ設けられ、測定値を無線で送信する無線子局と、複数の無線子局を収容する無線親局を介して測定値を収集し、前記複数の無線親局を選択的に介して前記複数の無線子局を制御する収集制御装置とを備え、前記複数の無線子局が、無線親局と直接または他の無線子局を経由して無線通信を行い、無線親局を介して収集制御装置と通信を行う検針システムにおいて、
前記収集制御装置は、各無線親局に収容している無線子局の収容台数を管理する第１の記憶手段と、無線親局に収容する無線子局の収容台数を決定する第１乃至第４の閾値を記憶した第２の記憶手段とを備え、無線子局から特定の無線親局配下への接続要求を受信したときに、当該無線親局配下の無線子局接続数が第１の閾値以上に達した場合、当該無線親局を経由して周囲の無線子局に接続抑止通知を広告し、前記第１の閾値よりも高い第２の閾値以上第３の閾値未満に達した場合、当該無線子局に対して高頻度の特定通信停止通知を送信し、前記第２の閾値よりも高い第３の閾値以上に達した場合、当該無線子局に対して収容拒否通知を送信し、前記接続抑止通知の広告後に前記第１の閾値と等しいか、または前記第１の閾値よりも低い第４の閾値を下回った場合、当該無線親局を経由して周囲の無線子局に接続抑止解除通知を広告するように構成され、
前記接続抑止通知を受信した接続先が未定の無線子局は、他の無線親局を選択できない場合は前記無線親局へ接続要求を送信し、他の無線親局を選択できる場合は他の無線親局へ接続要求を送信し、
前記高頻度の特定通信停止通知を受信した無線子局は、高頻度の特定通信を停止し、低頻度の特定通信及び前記収集制御装置からの下り通信への応答は継続して行い、
前記収容拒否通知を受信した無線子局は、低頻度の特定通信を停止し、前記収集制御装置からの下り通信への応答は継続して行い、
前記接続抑止解除通知を受信した無線子局は、当該無線親局への接続要求の送信制約を解除することを特徴とする検針システム。
【発明の詳細な説明】
【技術分野】
【０００１】
本発明は、複数の無線子局が、無線親局と直接または他の無線子局を経由して無線通信を行い、無線親局からは有線等の手段により収集制御装置まで通信を行う通信システム及びその輻輳回避方法、並びにこの通信システムを用いた検針システムに関する。
【背景技術】
【０００２】
電力、水道、ガス等の使用量を測定する測定機の検針を、通信ネットワークを介して行うテレメトリングシステムが知られている（例えば、特許文献１）。特許文献１記載のテレメトリングシステムでは、無線子局である通信端局が無線親局である中継機の識別情報（ＣＳＩＤ；Cell Station ID）の登録を自動的に行うことで、通信端局の設置作業や在庫管理等にかかる手間を抑えるとともに、通信端局の設置作業にかかるミスの発生も抑えている。【０００３】
一般に、通信システムにおいては、特定の無線親局配下への無線子局の接続数が増えると、無線親局の周囲の無線トラフィックが増大して通信品質が低下する。無線親局の収容数の閾値超過が発生するケースとしては、例えば、無線親局が光ネットワークに接続されている状況で、光ネットワークの障害等の原因により、複数の無線親局が同時に停止状態となる場合が挙げられる。複数の無線親局が停止すると、既存の無線子局がこれら停止状態にある無線親局を迂回することで、特定の無線親局への接続が集中し、無線親局の収容数の閾値を超えてしまう虞がある。【０００４】
また、多数の無線子局が近接して設置された場所に無線親局を新設すると、新設した無線親局に対して無線子局の接続が集中し、新設した無線親局周囲の無線通信の輻輳が発生することもある。【０００５】
特許文献１のテレメトリングシステムには、無線親局の配下への無線子局の収容数がある閾値に達すると、新たな無線子局の接続を拒否して規定台数以下に抑えることで、無線親局周辺のトラフィック増加による通信品質の低下を防ぐ構成が記載されている。通常、無線子局は、無線親局への新規接続時や接続変更時に、当該無線親局への接続要求を、当該無線親局を経由して収集制御装置へ送信することから、特許文献１記載の発明では、収集制御装置で特定の無線親局へ接続する無線子局数を監視することで、閾値を超える新たな無線子局の接続台数を制限している。
【先行技術文献】
【特許文献】
【０００６】
【特許文献１】特許第４７５７７４９号
【発明の概要】
【発明が解決しようとする課題】
【０００７】
しかしながら、上述した従来技術においては、収集制御装置は接続要求を送信してきた無線子局を先着順に収容しており、無線子局には登録できる二つの無線親局の情報が記憶されているものの、収集制御装置側が無線子局が持つ無線親局情報をリアルタイムで処理するのは現実的でなく、当該無線子局が他の無線親局を接続先として選択可能か否かの判断は困難である。そのため、無線子局の配置や新たに設置される順序等の状況によっては、他の無線親局を選択可能な無線子局が特定の無線親局に先に接続され、当該無線親局しか選択できない無線子局が当該無線親局に接続できないことにより、いずれの無線親局とも接続できない、という収容効率が悪い状態が発生する。【０００８】
また、特定の無線親局への無線子局の登録台数が規定の台数に達すると、無線通信のトラフィックを抑制するために、当該無線親局に新たに接続要求を送信した無線子局には接続許可が与えられないことから、当該無線子局は通信を開始できない。すなわち、規定の登録台数を超えた後に、新たに接続要求を送信した無線子局に対してはシステムが提供する機能を全て停止させている。この結果、低頻度の定期通信や不定期の下り通信等の低トラフィック通信も一括で止めてしまうことになり非効率である。【０００９】
本発明は上記のような事情に鑑みてなされたもので、その目的とするところは、無線子局の無線親局への収容効率を高め、トラフィックを抑制しつつ効率的に利用できる通信システム及びその輻輳回避方法、並びにこの通信システムを用いた検針システムを提供することにある。
【課題を解決するための手段】
【００１０】
上記課題を解決するために、本発明による通信システムは、複数の無線子局が、無線親局と直接または他の無線子局を経由して無線通信を行い、無線親局を介して収集制御装置と通信を行う通信システムにおいて、前記収集制御装置は、各無線親局に収容している無線子局の収容台数を管理する第１の記憶手段と、無線親局に収容する無線子局の収容台数を決定する第１乃至第４の閾値を記憶した第２の記憶手段とを備え、無線子局から特定の無線親局配下への接続要求を受信したときに、当該無線親局配下の無線子局接続数が第１の閾値以上に達した場合、当該無線親局を経由して周囲の無線子局に接続抑止通知を広告し、前記第１の閾値よりも高い第２の閾値以上第３の閾値未満に達した場合、当該無線子局に対して高頻度の特定通信停止通知を送信し、前記第２の閾値よりも高い第３の閾値以上に達した場合、当該無線子局に対して収容拒否通知を送信し、前記接続抑止通知の広告後に前記第１の閾値と等しいか、または前記第１の閾値よりも低い第４の閾値を下回った場合、当該無線親局を経由して周囲の無線子局に接続抑止解除通知を広告するように構成されている、ことを特徴とする。【００１１】
また、前記収集制御装置から送信される前記接続抑止通知を受信した接続先が未定の無線子局は、他の無線親局を選択できない場合は前記特定の無線親局へ接続要求を送信し、他の無線親局を選択できる場合は他の無線親局へ接続要求を送信し、前記高頻度の特定通信停止通知を受信した当該無線子局は、高頻度の特定通信を停止し、低頻度の特定通信及び前記収集制御装置からの下り通信への応答は継続して行い、前記収容拒否通知を受信した当該無線子局は、低頻度の特定通信を停止し、前記収集制御装置からの下り通信への応答は継続して行い、前記接続抑止解除通知を受信した無線子局は、当該無線親局への接続要求の送信制約を解除する、ことを特徴とする。【００１２】
また、前記第１、第２の記憶手段はそれぞれ書き換え可能である、ことを特徴とする。【００１３】
また、前記複数の無線子局はそれぞれ、収容される無線親局の識別情報を記憶する第３の記憶手段を備え、無線親局から定期的に送信される経路構築情報、および収容されている無線親局を介して前記収集制御装置から供給される無線親局ステータス情報に基づいて、当該無線親局の識別情報が書き込まれる、ことを特徴とする。【００１４】
本発明による通信システムの輻輳回避方法は、複数の無線子局が、無線親局と直接または他の無線子局を経由して無線通信を行い、無線親局を介して収集制御装置と通信を行う通信システムの輻輳回避方法において、無線子局から特定の無線親局配下への接続要求を受信したときに、当該無線親局配下の無線子局接続数が第１の閾値以上に達した場合、前記収集制御装置から当該無線親局を経由して、周囲の無線子局に接続抑止通知を広告するステップと、前記接続抑止通知を受信した接続先が未定の無線子局は、他の無線親局を選択できない場合は前記無線親局へ接続要求を送信し、他の無線親局を選択できる場合は他の無線親局へ接続要求を送信するステップと、当該無線子局から特定の無線親局配下への接続要求を受信したときに、当該無線親局配下への無線子局接続数が前記第１の閾値よりも高い第２の閾値以上第３の閾値未満に達した場合、前記収集制御装置から当該無線子局に対して、高頻度の特定通信停止通知を送信するステップと、前記高頻度の特定通信停止通知を受信した当該無線子局における高頻度の特定通信を停止し、低頻度の特定通信及び前記収集制御装置からの下り通信への応答は継続して行うステップと、当該無線子局からの特定の無線親局配下への接続要求を受信したときに、当該無線親局配下の無線子局接続数が前記第２の閾値よりも高い第３の閾値以上に達した場合、前記収集制御装置から当該無線子局に対して、収容拒否通知を送信するステップと、前記収容拒否通知を受信した当該無線子局における低頻度の特定通信を停止させ、前記収集制御装置からの下り通信への応答は継続して行うステップと、特定の無線親局配下への無線子局収容数が前記接続抑止通知の広告後に前記第１の閾値と等しいか、または前記第１の閾値よりも低い第４の閾値を下回った場合、前記収集制御装置から当該無線親局を経由して、周囲の無線子局に接続抑止解除通知を広告するステップと、前記接続抑止解除通知を受信した無線子局から当該無線親局への接続要求の送信制約を解除するステップとを具備する、ことを特徴とする。【００１５】
また、本発明の検針システムは、複数の測定装置と、これらの測定装置にそれぞれ設けられ、測定値を無線で送信する無線子局と、複数の無線子局を収容する無線親局を介して測定値を収集し、前記複数の無線親局を選択的に介して前記複数の無線子局を制御する収集制御装置とを備え、前記複数の無線子局が、無線親局と直接または他の無線子局を経由して無線通信を行い、無線親局を介して収集制御装置と通信を行う検針システムにおいて、前記収集制御装置は、各無線親局に収容している無線子局の収容台数を管理する第１の記憶手段と、無線親局に収容する無線子局の収容台数を決定する第１乃至第４の閾値を記憶した第２の記憶手段とを備え、無線子局から特定の無線親局配下への接続要求を受信したときに、当該無線親局配下の無線子局接続数が第１の閾値以上に達した場合、当該無線親局を経由して周囲の無線子局に接続抑止通知を広告し、前記第１の閾値よりも高い第２の閾値以上第３の閾値未満に達した場合、当該無線子局に対して高頻度の特定通信停止通知を送信し、前記第２の閾値よりも高い第３の閾値以上に達した場合、当該無線子局に対して収容拒否通知を送信し、前記接続抑止通知の広告後に前記第１の閾値と等しいか、または前記第１の閾値よりも低い第４の閾値を下回った場合、当該無線親局を経由して周囲の無線子局に接続抑止解除通知を広告するように構成され、前記接続抑止通知を受信した接続先が未定の無線子局は、他の無線親局を選択できない場合は前記無線親局へ接続要求を送信し、他の無線親局を選択できる場合は他の無線親局へ接続要求を送信し、前記高頻度の特定通信停止通知を受信した当該無線子局は、高頻度の特定通信を停止し、低頻度の特定通信及び前記収集制御装置からの下り通信への応答は継続して行い、前記収容拒否通知を受信した当該無線子局は、低頻度の特定通信を停止し、前記収集制御装置からの下り通信への応答は継続して行い、前記接続抑止解除通知を受信した無線子局は、当該無線親局への接続要求の送信制約を解除する、ことを特徴とする。
【発明の効果】
【００１６】
本発明では、収集制御装置が、特定の無線親局配下への無線子局の接続数超過を事前に検知し、無線子局へ通知することにより、他の無線親局を選択可能な無線子局は、他の無線親局へ接続要求の送信先を変更するため、収容効率を高めることができる。また、特定の無線親局配下への無線子局の接続数に応じて、接続抑止通知、高頻度の特定通信停止通知、収容拒否通知と段階を経た機能抑制を行うことで、トラフィックを抑制しつつシステム容量を効率的に利用できる。【００１７】
また、第１、第２の記憶手段がそれぞれ書き換え可能であることで、各無線親局に収容している無線子局の収容台数と第１乃至第４の閾値を自由に設定できる。【００１８】
更に、無線子局の第３の記憶手段に、収容される無線親局を記憶することで、収容先の無線親局の変更に容易に対応できる。【００１９】
従って、無線子局の無線親局への収容効率を高めることができ、トラフィックを抑制しつつ効率的に利用できる通信システム及びその輻輳回避方法、並びにこの通信システムを用いた検針システムが得られる。
【図面の簡単な説明】
【００２０】
【図１】本発明の実施の形態に係る通信システム及びその輻輳回避方法について説明する図である。
【図２】図１に示した通信システムにおける収集制御装置の動作を示すフローチャートである。
【図３】本発明の実施例に係る電力使用量の検針システムを示す図である。
【図４】本発明の実施例に係る検針システムの輻輳回避方法において、無線親局に広告（無線子局数閾値超過）を送信要求する機能について説明する図である。
【図５】本発明の実施例に係る検針システムの輻輳回避方法において、収容登録要求に対し、３０分値停止指示を応答する機能について説明する図である。
【図６】本発明の実施例に係る検針システムの輻輳回避方法において、収容登録要求に対し、収容拒否を応答する機能について説明する図である。
【図７】本発明の実施例に係る検針システムの輻輳回避方法において、無線親局の無線子局数閾値超過解除を受けて、無線子局が収容登録する機能について説明する図である。
【発明を実施するための形態】
【００２１】
以下、本発明の実施の形態について図面を参照しつつ説明する。
【００２２】
図１は、本発明の実施の形態に係る通信システム及びその輻輳回避方法について説明する図である。図１において、１−１および１−２は無線親局、○印は無線親局と通信可能な無線子局、３は収集制御装置である。図１において、○印で示された無線子局は、相互に通信可能であり、各無線子局間で通信を行うメッシュ型ネットワークを形成している。各無線子局は、隣接する無線子局または無線親局から受信する経路構築情報等に基づいて、隣接するどの無線子局または無線親局を通じて情報を送るかを判断し、自律的に通信経路を選択する。
【００２３】
無線子局は、無線親局１−１、および、無線親局１−２からのホップ数、あるいは通信状況等により、通信可能な無線親局が変化し、無線親局１−１のみと通信可能な無線子局２−１、２−２、２−３、…、無線親局１−１および無線親局１−２の双方と通信可能な無線子局２−１１、２−１２、２−１３、…、および、無線親局１−２のみと通信可能な無線子局２−２１、２−２２、２−２３、…、を代表的に示す。無線親局１−１、および、無線親局１−２は有線通信等の手段により収集制御装置３と通信を行う。
【００２４】
図１において○印で示された無線子局はそれぞれ、情報を送るべき無線親局に関する識別情報を主／副の形で順位づけて保持している。例えば、無線子局２−１、２−２、２−３は、無線親局１−１の識別情報を、無線子局２−１１、２−１２、２−１３は、無線親局１−１および無線親局１−２の識別情報を、無線子局２−２１、２−２２、２−２３は、無線親局１−２の識別情報を半導体メモリやハードディスク等の書き換え可能な記憶装置（第３の記憶手段）に記憶しており、主の無線親局へデータを送信する。上記識別情報は、無線親局１−１、１−２から定期的に送信される経路構築情報、および収容されている無線親局を介して、収集制御装置３から収集される無線親局ステータス情報に基づいて、無線子局が通信可能な無線親局を判断し、記憶装置に書き込まれる。
【００２５】
更に、上記無線親局１−１、１−２は、例えば１台が数百台の無線子局２−１、２−２、２−３、…、２−１１、２−１２、２−１３、…、２−２１、２−２２、２−２３、…をそれぞれ収容しており、これら無線子局２−１、２−２、２−３、…、２−１１、２−１２、２−１３、…、２−２１、２−２２、２−２３、…の集約地点になっている。無線親局１−１、１−２と無線子局２−１、２−２、２−３、…、２−１１、２−１２、２−１３、…、２−２１、２−２２、２−２３、…は、無線の通信品質の良いところに収容されやすく、各々の無線子局は当該無線子局周辺の無線子局または無線親局との間の無線の通信品質に応じて送信する経路を判断し、無線子局から無線子局へホップして最終的に無線親局に集約されることになる。
【００２６】
一方、上記収集制御装置３は、無線親局１−１、１−２を介して無線子局２−１、２−２、２−３、…、２−１１、２−１２、２−１３、…、２−２１、２−２２、２−２３、…の数を管理・監視しており、特定の無線親局配下への無線子局の接続数超過を事前に検知し、無線子局２−１、２−２、２−３、…、２−１１、２−１２、２−１３、…、２−２１、２−２２、２−２３、…へ通知する。これにより、他の無線親局を選択可能な無線子局２−１１、２−１２、２−１３、…に、他の無線親局へ接続要求の送信先を変更させる。また、無線親局配下の無線子局数に応じて、「接続抑止通知」、「高頻度の特定通信停止通知」、「収容拒否通知」と段階を経た機能抑制を行う。
【００２７】
また、上記収集制御装置３は、システムまたは無線親局単位のパラメータとして半導体メモリやハードディスク等の書き換え可能な記憶装置（第２の記憶手段）に複数の閾値を記憶しており、以下のような段階的な通信抑制を行う。ここで、図１では、第１の閾値をａ、第２の閾値をｂ、第３の閾値をｃ、第４の閾値をｄとし、これらの閾値はｄ＜ａ＜ｂ≦ｃの関係を有する。そして、閾値ｂと閾値ｃが等しい場合には、閾値ｃに対する処理を優先する。
【００２８】
上記収集制御装置３の動作を図２のフローチャートに示す。収集制御装置３が無線親局からの収容登録要求を受信すると（Ｓ１）、収集制御装置３に記憶されている端末収容台数、換言すれば無線親局配下の無線子局接続数の更新（Ｓ２）が行われる。そして、正常状態から抑止状態へ遷移するか否か（Ｓ３）、抑止状態から正常状態へ遷移するか否か（Ｓ６）、および無線子局収容数の判定が行われる（Ｓ４）。図２においては、正常状態から抑止状態への遷移判定（Ｓ３）または抑止状態から正常状態への遷移判定（Ｓ６）の後に無線子局収容数の判定（Ｓ４）が行われるフローを示しているが、端末収容台数更新（Ｓ２）の後であれば、Ｓ４は、Ｓ３またはＳ６の前、あるいは、独立に行ってもよい。
【００２９】
現在の状態が正常状態の場合には、正常状態から抑止状態へ遷移するか否かの判定（Ｓ３）は、端末収容台数が閾値ａ未満から閾値ａ以上に遷移したかどうかで判定される。端末収容台数が閾値ａ以上の場合には、当該無線親局の配下の無線子局に「接続抑止通知」がブロードキャストで一斉に送信される（Ｓ５）。この「接続抑止通知」は、無線親局を経由して配下の無線子局に広告される。ここで、広告とは、ブロードキャストで一斉に通知される情報を意味する。なお、一度抑止状態に遷移すると、閾値a以上であっても接続抑止通知は出さない。また、一度閾値ａを超えて抑制状態になると、閾値ｄ未満にならないと正常状態に戻らないため、抑止状態から閾値ｄ以上閾値ａ未満の状態になり、そこから再度閾値ａ以上になっても抑止に遷移することはない。
【００３０】
現在の状態が抑止状態の場合には、抑止状態から正常状態へ遷移するか否かの判定（Ｓ６）は、端末収容台数が閾値ｄ以上から閾値ｄ未満に遷移したかどうかで判定される。端末収容台数が閾値ｄ未満であれば当該無線親局の配下の無線子局に「接続抑止解除通知」がブロードキャストで一斉に送信される（Ｓ７）。「接続抑止解除通知」を受信した無線子局は、当該無線親局への接続要求を送信可能となる。また、「接続抑止解除通知」は、無線親局の正常を示す信号の広告でも実現可能である。閾値ｄ以上の場合には、接続抑止状態が維持される。
【００３１】
一方、ステップＳ４で端末収容台数が閾値ｂより小さい場合には収容可能と判定され、収容登録応答（正常）が送信され（Ｓ８）、当該接続先が未定の無線子局から収容登録要求を受けた無線親局を介して当該無線子局に通知される。このステップＳ４で閾値ｂ以上であると、高頻度通信停止判定が行われる。この判定では、閾値がｂ以上で且つｃ未満の場合に、収容登録応答（高頻度の特定通信停止通知）が送信される（Ｓ９）。この収容登録応答（高頻度の特定通信停止通知）を受信した当該無線子局は、高頻度の特定通信を停止し、低頻度の特定通信及び収集制御装置３からの下り通信への応答は継続して行う。
【００３２】
ステップＳ４で端末収容台数が閾値ｃ以上であれば収容登録応答（収容拒否通知）が送信される（Ｓ１０）。収容登録応答（収容拒否通知）を受信した当該無線子局は、低頻度の特定通信も停止するが、収集制御装置３からの下り通信への応答は継続して行う。そして、上記ステップＳ８、Ｓ９、Ｓ１０の終了後は、次の処理に移る。
【００３３】
下表１は、本実施の形態に係る輻輳回避方法における収容数の具体例であり、収容数増減に伴う動作概要を示している。ここでは、閾値ａ＝８００、ｂ＝１０００、ｃ＝５０００、ｄ＝７００としている。この閾値（収容数）は、システム構成や必要に応じて自由に設定でき、収容数以外のパラメータで設定しても良い。
【表１】
2013133191.tif 000003
【００３４】
上記のような通信システム及びその輻輳回避方法では、収集制御装置３が、特定の無線親局１−１または１−２配下への無線子局２−１、２−２、２−３、…、２−１１、２−１２、２−１３、…、２−２１、２−２２、２−２３、…の接続数増加を事前に検知し、無線子局２−１、２−２、２−３、…、２−１１、２−１２、２−１３、…、２−２１、２−２２、２−２３、…へ通知することにより、他の無線親局を選択可能な無線子局２−１１、２−１２、２−１３、…は、他の無線親局へ接続要求の送信先を変更するため、収容効率を高めることができる。
【００３５】
また、無線子局の収容台数に応じて「接続抑止通知」、「高頻度の特定通信停止通知」、「収容拒否通知」と段階を経た機能抑制を行うことで、トラフィック抑制という目的を満たしつつ、効率的なシステム機能の提供が可能となる。
【００３６】
本通信システムは、基本的には多数の無線子局２−１、２−２、２−３、…、２−１１、２−１２、２−１３、…、２−２１、２−２２、２−２３、…から無線親局１−１、１−２へ上っていくトラフィックが大半を占めており、無線親局１−１、１−２から無線子局２−１、２−２、２−３、…、２−１１、２−１２、２−１３、…、２−２１、２−２２、２−２３、…へ下っていくトラフィックが少ないものへの適用が好ましい。例えば、無線子局２−１、２−２、２−３、…、２−１１、２−１２、２−１３、…、２−２１、２−２２、２−２３、…から無線親局１−１、１−２へ各種センサの測定値等のデータを高頻度に送り、無線親局１−１、１−２から無線子局２−１、２−２、２−３、…、２−１１、２−１２、２−１３、…、２−２１、２−２２、２−２３、…へ制御情報等のデータを低頻度に送って制御を行うシステムが好適である。
【実施例】
【００３７】
次に、上述した実施の形態に係る通信システム及びその輻輳回避方法の具体的な実施例として、電力の使用量を測定する検針システムを例に取り詳しく説明する。【００３８】
図３は、本発明の実施例に係る電力使用量の検針システムを示す図である。電力使用量を測定する測定装置４−１、４−２、４−３、…、４−１１、４−１２、…、４−２１、４−２２、４−２３、…、４−３１、４−３２、４−３３、…にはそれぞれ、無線子局（通信ユニット）２−１、２−２、２−３、…、２−１１、２−１２、…、２−２１、２−２２、２−２３、…、２−３１、２−３２、２−３３、…が設けられている。これらの無線子局２−１、２−２、２−３、…、２−１１、２−１２、…、２−２１、２−２２、２−２３、…、２−３１、２−３２、２−３３、…は相互通信可能に構成されており、電柱等に設置された無線親局１−１、１−２、１−３の配下になっている。これらの無線親局１−１、１−２、１−３は、光ファイバ等によるネットワーク５を介して収集制御装置３に接続される。【００３９】
上記検針システムは、輻輳を回避するために、収集制御装置３による無線子局数監視機能を有している。【００４０】
上記収集制御装置３による無線子局数監視機能は、収集制御装置３で無線親局毎の無線子局の収容台数を管理することにより、無線親局毎の無線子局の収容台数あるいは、無線子局の通信動作を制限して輻輳が発生しないようにするものである。【００４１】
次に、上記収集制御装置３による無線子局数監視機能について説明する。
（１）無線親局１−１、１−２、１−３に、広告（無線子局数閾値超過）を送信要求する機能
収集制御装置３は、無線子局数を管理・監視し、無線子局数閾値超過通知要求（開始）を用いて、無線親局１−１、１−２、１−３に広告（無線子局数閾値超過）を送信要求する。無線親局１−１、１−２、１−３は応答を収集制御装置３に返し、無線子局の収容台数が閾値を超過したことを通知する広告（無線子局数閾値超過）を定期送信する。【００４２】
広告（無線子局数閾値超過）を受信した無線子局２−１、２−２、２−３、…、２−１１、２−１２、…、２−２１、２−２２、２−２３、…、２−３１、２−３２、２−３３、…は、広告の送信元である無線親局１−１、１−２または１−３を新たに収容先として選択しない。他に選択する無線親局が存在しない場合は選択可能である。また、広告を受信する前から当該無線親局を既に収容先として選択している無線子局は継続して選択することが可能である。【００４３】
図４は、無線親局１−１が異常となり、多くの無線子局が無線親局１−２を主局として選択した結果
（ａ）収集制御装置３が無線子局数閾値超過を検出
（ｂ）無線親局１−２に対し無線子局数閾値超過通知要求（開始）メッセージを送信
（ｃ）無線親局１−２がブロードキャスト送信で、広告（無線子局数閾値超過）を定期送信
（ｄ）無線子局２−１２は、無線親局１−２を主局として選択せず、無線親局１−３を主局として選択し、収容登録要求を送信
している動作を表している。【００４４】
すなわち、無線親局１−１が異常であることが配下の各無線子局に知らされると、無線子局２−１は別の無線親局１−２に対して収容登録要求を送信し、この無線親局１−２から収集制御装置３に収容登録要求が出される。これに対し、収集制御装置３は、無線親局１−２に収容登録応答を送信し、無線親局１−２から無線子局２−１に収容登録応答が出される。【００４５】
また、収集制御装置３から、無線親局１−２に無線子局数閾値超過通知要求（開始）が送信され、無線親局１−２から無線子局数閾値超過通知応答が収集制御装置３に送信される。そして、無線親局１−２の配下の無線子局数が増加して閾値を超過すると、収集制御装置３の制御により、この無線親局１−２の配下の各無線子局に広告が出される。これを受けて、無線子局２−２は無線親局１−３に対して収容登録要求を送信し、この無線親局１−３から収集制御装置３に収容登録要求が出される。これに対し、収集制御装置３は、無線親局１−３に収容登録応答を送信し、無線親局１−３から無線子局２−２に収容登録応答が出され、無線子局２−２が無線親局１−３に登録される。【００４６】
無線子局２−１、２−２からはそれぞれ、３０分検針の計測値（以降、３０分値と記載）が無線親局１−２、１−３を介して収集制御装置３に送信される。【００４７】
（２）収容登録要求に対し、３０分値停止指示を応答する機能
収集制御装置３は、無線子局２−１、２−２、２−３、…、２−１１、２−１２、…、２−２１、２−２２、２−２３、…、２−３１、２−３２、２−３３、…から受信した収容登録要求に対して、３０分値停止応答を返すことができる。【００４８】
３０分値停止応答を受信した無線子局２−１、２−２、２−３、…、２−１１、２−１２、…、２−２１、２−２２、２−２３、…、２−３１、２−３２、２−３３、…は、広告（正常）を受信するまで、収容登録要求の送信を抑止する。また、収容登録要求を送信し正常応答を受信するまで、３０分値の送信を停止する。【００４９】
図５は、無線親局１−１が異常となり、多くの無線子局が無線親局１−２を主局として選択した結果、
（ａ）収集制御装置３が無線子局数閾値超過を検出
（ｂ）無線親局１−２に対し無線子局数閾値超過通知要求（開始）を送信
（ｃ）無線親局１−２がブロードキャスト送信で、広告（無線子局数閾値超過）を定期送信
（ｄ）無線子局２−２は、無線親局１−１、１−２しか認識できていないため、無線親局１−２を主局として選択し、収容登録要求を送信
（ｅ）収容数が３０分値通知許容端末数を超過していたため、収集制御装置３が収容登録応答（３０分値停止指示）を送信
している動作を表している。【００５０】
（３）収容登録要求に対し、収容拒否を応答する機能
収集制御装置３は、無線子局２−１、２−２、２−３、…、２−１１、２−１２、…、２−２１、２−２２、２−２３、…２−３１、２−３２、２−３３、…から受信した収容登録要求に対して、収容登録応答（収容拒否）を返すことができる。【００５１】
収容登録応答（収容拒否）を受信した無線子局は、広告（正常）を受信するまで、収容登録要求の送信を抑止する。広告（正常）を受信した場合、収容登録応答で収容拒否を受信した無線子局は収容登録要求から再開する。また、収容登録要求を送信し正常応答を受信するまで、３０分値の送信を停止する。更に、収容登録要求を送信し収容拒否以外の応答を受信するまで、その他の低頻度の上り通信を抑止する。【００５２】
図６は、無線親局１−１が異常となり、多くの無線子局が無線親局１−２を主局として選択した結果、
（ａ）収集制御装置３が無線子局数閾値超過を検出
（ｂ）無線親局１−２に対し無線子局数閾値超過通知要求（開始）を送信
（ｃ）無線親局１−２がブロードキャスト送信で、広告（無線子局数閾値超過）を定期送信
（ｄ）無線子局２−１１は、無線親局１−１、１−２しか認識できていないため、無線親局１−２を主局として選択し、収容登録要求を送信
（ｅ）収容数が収容許容端末数を超過していたため、収集制御装置が収容登録応答（収容拒否）を送信
している動作を表している。【００５３】
（４）無線親局に、広告（正常）を送信要求する機能
収集制御装置３は、無線子局数を管理・監視し、無線子局数閾値超過解除を判断した場合、無線子局数閾値超過通知要求（停止）を用いて、無線親局１−１、１−２、１−３に広告（正常）を送信要求する。無線親局１−１、１−２、１−３は応答を収集制御装置３に返し、広告（正常）を定期送信する。この広告（正常）を受信した無線子局２−１、２−２、２−３、…、２−１１、２−１２、…、２−２１、２−２２、２−２３、…、２−３１、２−３２、２−３３、…は、他に選択する無線親局が存在する、しないに拘わらず、受信した無線親局を主副局として選択可能とする。【００５４】
図７は、無線親局１−２から他の無線親局に主局を移行した無線子局が多数発生した結果、
（ａ）収集制御装置３が無線親局１−２の無線子局数閾値超過解除を検出
（ｂ）無線親局１−２に対し無線子局数閾値超過通知要求（停止）メッセージを送信
（ｃ）無線親局１−２がブロードキャスト送信で、広告（正常）を定期送信
（ｄ）無線子局２−２は、無線親局１−２を主局として選択し、収容登録要求を送信
している動作を表している。【００５５】
（ｄ）の無線子局２−２が無線親局１−２を主局として選択し、収容登録要求を送信する動作により、収集制御装置３が無線子局数閾値超過を検出した場合は、図４を参照して説明した動作により広告（無線子局数閾値超過）が送信される。また、この（ｄ）の動作に対して収集制御装置は、３０分値停止応答及び収容拒否応答を送信することが可能である。【００５６】
上述したように、本発明によれば、無線子局の無線親局への収容効率を高めることができ、トラフィックを抑制しつつ効率的に利用できる通信システム及びその輻輳回避方法、並びにこの通信システムを用いた検針システムが得られる。【００５７】
なお、上述した実施例では、電力使用量を検針する検針システムを例に取って説明したが、ガスや水道等の使用量を検針するシステムにも同様にして適用可能である。また、例えば携帯電話等の無線端末において、緊急通信用のトラフィックを確保したい場合等にも幅広く適用できる。
【符号の説明】
【００５８】
１−１、１−２、１−３    無線親局
２−１、２−２、２−３、…、２−１１、２−１２、２−１３、…、２−２１、２−２２、２−２３、…    無線子局
３    収集制御装置
４−１、４−２、４−３、…    測定装置
５    ネットワーク
ａ、ｂ、ｃ、ｄ    閾値
【図１】
2013133191.tif 000004
【図２】
2013133191.tif 000005
【図３】
2013133191.tif 000006
【図４】
2013133191.tif 000007
【図５】
2013133191.tif 000008
【図６】
2013133191.tif 000009
【図７】
2013133191.tif 000010
【国際調査報告】
2013133191.tif 000011
2013133191.tif 000012